(57)【特許請求の範囲】
【請求項１】
信号記録媒体に対向する上面側に対物レンズが取り付けられるレンズホルダーがアクチュエータフレームに変位可能に弾性的に支持される対物レンズ駆動装置におけるプロテクタの形成方法であって、液剤として液型ＲＴＶ（Room Temperature Vulcanizing）ゴムを使用し、前記レンズホルダーの前記上面に硬化性を有する前記液剤を粘度により停留させた状態で硬化させて前記対物レンズの周囲に突出する複数のプロテクタを形成すると共に、前記液剤が半硬化状態になった形成途中の前記プロテクタを規制板に押し当てることにより前記プロテクタの高さを規制することを特徴とする対物レンズ駆動装置におけるプロテクタの形成方法。
【請求項２】
前記レンズホルダーを逆さにして液剤が半硬化状態になった形成途中の前記プロテクタを前記規制板に押し当てることを特徴とする請求項１記載の対物レンズ駆動装置におけるプロテクタの形成方法。
【請求項３】
前記規制板に前記レンズホルダーに装着された前記対物レンズのリム部上面に当接される突部を設け、前記突部の高さを前記プロテクタにおける前記対物レンズの前記リム部上面から規定することを特徴とする請求項１記載の対物レンズ駆動装置におけるプロテクタの形成方法。
【請求項４】
前記液剤を前記対物レンズを接着固定する接着剤の上に塗布することを特徴とする請求項１記載の対物レンズ駆動装置におけるプロテクタの形成方法。
【請求項５】
前記接着剤はアクリル系ＵＶ型接着剤であると共に、前記液剤はシリコーンゴム系であることを特徴とする請求項４記載の対物レンズ駆動装置におけるプロテクタの形成方法。
【請求項６】
前記液剤はシリコーンゴム系であることを特徴とする請求項１〜４の何れか１項に記載の対物レンズ駆動装置におけるプロテクタの形成方法。
【発明の詳細な説明】
【技術分野】
【０００１】
本発明は、レンズホルダーの上面において対物レンズの周囲に複数突出させて対物レンズ及び信号記録媒体を保護するプロテクタの形成方法を示す対物レンズ駆動装置におけるプロテクタの形成方法に関し、特に、プロテクタを液剤を硬化させて形成する対物レンズ駆動装置におけるプロテクタの形成方法に関する。
【背景技術】
【０００２】
ディスク等の信号記録媒体に対して光学的に信号の読み取り、あるいは書き込みを行う光学ヘッドにおける対物レンズ駆動装置においては、周知のように、対物レンズが装着されるレンズホルダーが支持ワイヤー等の弾性支持部材によってアクチュエータフレームに対して変位可能に弾性的に支持され、前記レンズホルダーを駆動して対物レンズによって収束される光ビームのフォーカス制御及びトラッキング制御が信号記録媒体に対して行われるようになっている。
【０００３】
ところで、信号記録媒体の高密度化による大容量化に伴って信号記録媒体の信号層上の光スポット径を小さくするために高密度対応の対物レンズはＮＡを大きくする必要がある。一方、信号記録媒体の高速化に対応させるためにアクチュエータの可動部は軽量化が推進されている。その為、使用する対物レンズの口径を大きくせずにＮＡが大きくなることにより対物レンズが信号記録媒体に当接されるまでのレンズホルダーがフォーカス方向に作動可能な距離（Working Distance）が狭まってきている。
【０００４】
したがって、対物レンズ駆動装置としては、フォーカスサーボ導入時における対物レンズの光軸方向への変位や衝撃等により対物レンズが信号記録媒体に衝突して対物レンズや信号記録媒体が損傷されるのを防止するように、対物レンズの周辺に対物レンズを含むレンズホルダーのどの部位より信号記録媒体に接近するべく突出するプロテクタを設けているものが知られている。（例えば、特許文献１参照）
ところで、プロテクタとしては、信号記録媒体、例えばＤＶＤやＣＤの基材である透明基板の材質として用いられるポリカーボネートより硬度が低いと共に、防振性などの他の特性から特許文献１に示されるようにシリコーンゴムが使用される場合がある。このシリコーンゴムとしては硬化性を有する液剤タイプがあり、この液剤タイプのシリコーンゴムをレンズホルダーの上面の対物レンズの周囲に塗布し、このシリコーンゴムを硬化させてプロテクタを形成することが考えられる。
【特許文献１】特開２００１−３１９３５５号公報
【発明の開示】
【発明が解決しようとする課題】
【０００５】
しかしながら、硬化性を有する液剤を塗布してプロテクタを形成する場合、塗布時における液剤の粘度の変化、液剤を投与するディスペンサの圧力変化、あるいは液剤を抽出する針先の詰まりなどによって液剤の塗布量が変化したり、あるいは液剤を硬化させる温度や湿度などの環境変化などの種々の要因により形成されるプロテクタの高さが変化してしまう。
【０００６】
これによりプロテクタの高さが規格の高さからずれ、ワーキングディスタンスが減少したり、あるいはプロテクタの高さが不足して対物レンズが信号記録媒体に当接するのが防止出来ない問題が生じる。
【０００７】
また、レンズホルダーの対物レンズの周囲にプロテクタを複数形成するが、各プロテク
タの高さがばらつくことにより信号記録媒体や対物レンズを衝突から保護する保護性能が劣るという問題があった。
【課題を解決するための手段】
【０００８】
本発明は、信号記録媒体に対向する上面側に対物レンズが取り付けられるレンズホルダーがアクチュエータフレームに変位可能に弾性的に支持される対物レンズ駆動装置におけるプロテクタの形成方法であって、液剤として液型ＲＴＶ（Room Temperature Vulcanizing）ゴムを使用し、前記レンズホルダーの前記上面に硬化性を有する前記液剤を粘度により停留させた状態で硬化させて前記対物レンズの周囲に突出する複数のプロテクタを形成すると共に、前記液剤が半硬化状態になった形成途中の前記プロテクタを規制板に押し当てることにより前記プロテクタの高さを規制することを特徴とする。
【発明の効果】
【０００９】
本発明の対物レンズ駆動装置におけるプロテクタの形成方法に依れば、液剤が半硬化状態になった形成途中のプロテクタを規制板に押し当てることによりプロテクタの高さを規制するので、プロテクタを簡単に規格の高さにすることが可能であると共に、複数のプロテクタの高さを簡単に均一にすることが出来、併せてプロテクタの先端が潰されて信号記録媒体との当接領域が拡大されることにより信号記録媒体や対物レンズを衝突から保護する保護性能の向上に有利である。
【００１０】
この場合、レンズホルダーを逆さにして液剤が半硬化状態になった形成途中のプロテクタを規制板に押し当てるようにしているので、作業性が良好である。
【００１１】
また、プロテクタの高さが対物レンズのリム部上面より規定されるので、信号記録媒体との当接部分を確実にプロテクタとすることが出来る。
【００１２】
また、液剤を対物レンズを接着固定する接着剤の上に塗布するので、レンズホルダーの小型化により液剤を塗布する場所を確保できると共に、前記接着剤を溜めるように形成される穴や溝などの形状を利用して液剤を塗布するようにすることが期待できる。
【００１３】
この場合、接着剤がアクリル系ＵＶ型接着剤であると共に、液剤がシリコーンゴム系であると、接着剤及び液剤の材質が互いに影響して硬化を阻害することもないし、液剤を接着剤上に所望の強度以上の接着力により接着出来る。
【実施例】
【００１４】
図１は本発明に係る対物レンズ駆動装置におけるプロテクタの形成方法によりプロテクタが形成されたＤＶＤ及びＣＤ対応の対物レンズ駆動装置の一例の完成状態を示す斜視図である。
【００１５】
レンズホルダー１には対物レンズ２が取り付けられ、また、レンズホルダー１にはレンズホルダー１の側面全周を包囲するべく巻回されるフォーカシングコイル３と、レンズホルダー１の４隅に配置されるトラッキングコイル４がそれぞれ巻回されている。
【００１６】
レンズホルダー１を支持する４本のサスペンションワイヤー５は、アクチュエータフレーム６に固定される配線基板７にそれぞれ一端が固定され、それぞれの他端側がレンズホルダー１の相対する所定の２側面の中央上下からそれぞれ突出される各支持部８に固定される。
【００１７】
これによりレンズホルダー１は、４本のサスペンションワイヤー５によりアクチュエータフレーム６にフォーカス方向及びトラッキング方向に変位可能に弾性的に支持される。この場合、サスペンションワイヤー５はレンズホルダー１の両側にそれぞれ上下２本が配置されて上下方向に互いに平行で左右方向にハ字状に架設されている。
【００１８】
そして、各サスペンションワイヤー５のレンズホルダー１に固定される他端側の先には、フォーカシングコイル３及びトラッキングコイル４の各駆動コイルの所定の端末が絡げられる各突片９がレンズホルダー１に一体に形成されており、前記各サスペンションワイヤー５の他端側の先端付近がハンダ付けされると共に、前記各サスペンションワイヤー５の一端が配線基板７のランドにハンダ付けされ、これにより配線基板７に供給されるフォーカス及びトラッキングの各制御信号が前記各サスペンションワイヤー５を介して各駆動コイルに供給される。
【００１９】
また、アクチュエータフレーム６には、４本のサスペンションワイヤー５（両側の下の２本は図示されず）によりレンズホルダー１が所定位置に架設支持された状態において、各駆動コイルの有効辺に有効磁界を発生するように磁気回路が設けられている。その為、フォーカシングコイル３にフォーカス制御信号を供給することによりそのフォーカス制御信号に応じてレンズホルダー１を介して対物レンズ２がフォーカス方向に駆動されるようになっていると共に、各トラッキングコイル４にトラッキング制御信号を供給することによりそのトラッキング制御信号に応じてレンズホルダー１を介して対物レンズ２がトラッキング方向に駆動されるようになっている。
【００２０】
次に、このように構成される対物レンズ駆動装置において、本発明の特徴部分であるプロテクタに関して詳細に説明する。
【００２１】
レンズホルダー１の対物レンズ２が設置されるレンズ設置部１ａの上面において、このレンズ設置部１ａの４隅となる対物レンズ２の周囲にそれぞれプロテクタ１０がドーム状に突出して形成されている。前記各プロテクタ１０はアクチュエータ可動部の他のどの部分（対物レンズ２のリム部２ａ上面）より対向されるディスク側に突出しており、アクチュエータ可動部がディスクに当接される部位を前記各プロテクタ１０としている。
【００２２】
ここで、前記各プロテクタ１０はシリコーンゴムにより構成され、ディスクの基材のポリカーボネートより硬度が低くなっており、フォーカスサーボ導入時における対物レンズ２の光軸方向への変位や衝撃等によりプロテクタ１０がディスクに衝突してもディスクの損傷が防止される。
【００２３】
また、プロテクタ１０がディスクに当接することにより変形しても対物レンズ２がディスクに当接されるのが防止されるようにプロテクタ１０は変形を考慮した高さとなっており、対物レンズ２の損傷も防止される。
【００２４】
また、前記各プロテクタ１０をシリコーンゴムにより構成すると、シリコーンゴムが有する防振性によってアクチュエータの高次共振特性が良好になることが期待できる。
【００２５】
次に、各プロテクタ１０の形成方法について説明する。
【００２６】
各プロテクタ１０は硬化性を有するシリコーンゴム系液剤を粘度により停留させた状態で硬化させて形成され、前記液剤としては例えば常温硬化タイプの液型ＲＴＶ（Room Temperature Vulcanizing）ゴム（製品名：ＫＥ３４９４、信越化学工業株式会社製）を使用する。
【００２７】
シリコーンゴム系液剤はレンズホルダー１の上面における対物レンズ２の周囲の所定箇所に塗布され、その状態でシリコーンゴム系液剤を表面が粘らない程度に硬化させると共に、内部が硬化していない状態の半硬化状態にする。前述の例の液型ＲＴＶゴムは、約１０分経過すると半硬化状態になる。
【００２８】
シリコーンゴム系液剤が半硬化状態になった形成途中の各プロテクタ１０は、図２に示す模式図の如くレンズホルダー１を逆さにして規制板１１に押し当てられる。規制板１１は機械構造用炭素鋼により構成され、平板１１ａにレンズホルダー１に装着された対物レンズ２のリム部上面に当接される突部１１ｂが設けられる構成になっており、この突部１１ｂの高さｈは各プロテクタ１０における対物レンズ２のリム部２ａ上面から規定される高さとなる。
【００２９】
規制板１１の突部１１ｂに対物レンズ２のリム部２ａ上面が当接されるように半硬化状態になった形成途中の各プロテクタ１０を規制板１１に押し当てると、図３に示す模式図の如く形成途中の各プロテクタ１０はその可塑性により先端が押し潰される。その為、各プロテクタ１０は対物レンズ２のリム部２ａ上面より高さｈ分高い高さに規制される。前記高さｈは例えば０．１５ｍｍに設定され、各プロテクタ１０は対物レンズ２のリム部２ａ上面より０．１５ｍｍ高く規定される。そして、各プロテクタ１０の先端は平らになってディスクとの当接領域が拡大される。
【００３０】
ところで、各プロテクタ１０は対物レンズ２をレンズホルダー１に接着固定するために塗布された接着剤の上に形成される。
【００３１】
図４は各プロテクタ１０が形成されていない状態の対物レンズ駆動装置を示す斜視図である。対物レンズ２をレンズホルダー１に接着する際には、レンズホルダー１のレンズ設置部１ａの所定位置に対物レンズ２を光軸調整して設置し、この対物レンズ２が光軸調整された状態で前記レンズ設置部１ａの４隅となる対物レンズ２の周囲に形成された各穴に溜められるアクリル系ＵＶ（紫外線）型接着剤１２をＵＶ照射により硬化させる。
【００３２】
各プロテクタ１０を形成するシリコーンゴム系液剤は対物レンズ２をレンズホルダー１に接着固定する接着剤１２上に塗布される。その為、対物レンズ２の周囲の各プロテクタ１０を形成するのに適切な部位をシリコーンゴム系液剤を塗布する専用部位としてレンズホルダー１に形成する必要がない。そして、対物レンズ２をレンズホルダー１に接着する接着剤及び各プロテクタ１０を形成する液剤の材質を適切に選択することにより接着剤及び液剤の材質が互いに影響して硬化を阻害することもないし、液剤を接着剤上に所望の強度以上の接着力により接着出来る。
【００３３】
尚、前述の規制板１１においては各プロテクタ１０の高さを規制するのに対物レンズ２のリム部上面に当接される突部１１ｂを用いているが、これに限らず、規制板１１にレンズホルダー１の上面に当てる突部を設けてレンズホルダー１の上面を基準にして各プロテクタ１０の高さを規制することも可能であるし、各プロテクタ１０を規制板１１に押し当てる際のレンズホルダー１の移動距離を規定して各プロテクタ１０の高さを規制することも可能である。
【図面の簡単な説明】
【００３４】
【図１】本発明に係る対物レンズ駆動装置におけるプロテクタの形成方法によりプロテクタが形成された対物レンズ駆動装置の一例の完成状態を示す斜視図である。
【図２】形成途中の各プロテクタ１０を規制板１１に押し当てる状態を示す側面からのレンズホルダー１部分の模式図である。
【図３】形成途中の各プロテクタ１０を規制板１１に押し当てた後の状態を示す側面からのレンズホルダー１部分の模式図である。
【図４】各プロテクタ１０が形成されていない状態の対物レンズ駆動装置を示す斜視図である。
【符号の説明】
【００３５】
１        レンズホルダー
１ａ      レンズ設置部
２        対物レンズ
２ａ      リム部
６ アクチュエータフレーム
１０      プロテクタ
１１      規制板
１１ｂ    突部
ｈ 高さ
【図１】
0004794230.tif 000002
【図２】
0004794230.tif 000003
【図３】
0004794230.tif 000004
【図４】
0004794230.tif 000005